(57)【特許請求の範囲】
【請求項１】
クランクケース(40)に回転自在に支持されたクランク軸(41)と、
同クランク軸(41)の一端に設けられ、同クランク軸(41)と一体的に回転する遠心フィルタ(６)と、
前記クランク軸(41)の近傍に設けられ、外部から入力された回転駆動力を出力部から前記クランク軸(41)に伝達するキック始動装置(９)とを備えた小型車両用内燃機関(４)において、
前記キック始動装置(９)の出力部を構成するキック始動駆動ギヤ(97)が噛合するキック始動従動ギヤ(99)が、前記遠心フィルタ(６)に一体的に設けられたことを特徴とする小型車両用内燃機関のキック始動装置。
【請求項２】
前記遠心フィルタ(６)が、椀状をなすフィルタケース(65)を有し、
同フィルタケース(65)の外周壁(65ｂ)に前記キック始動従動ギヤ(99)が一体成型されたことを特徴とする請求項１記載の小型車両用内燃機関のキック始動装置。
【請求項３】
前記フィルタケース(65)の外周壁(65ｂ)には、同フィルタケース(65)の空洞部(65ａ)の開口を閉塞する蓋部材(69)を取り付ける締結部材(68)のボス部(65ｃ)が含まれることを特徴とする請求項２記載の小型車両用内燃機関のキック始動装置。
【請求項４】
前記キック始動装置(９)は、前記小型車両用内燃機関(４)の車両搭載状態において、前記クランクケース(40)における前記クランク軸(41)の前方寄りに配置されたことを特徴とする請求項１ないし請求項３のいずれか記載の小型車両用内燃機関のキック始動装置。
【請求項５】
前記小型車両用内燃機関(４)は始動モータ(10ａ)による電動始動装置(10)を有し、同電動始動装置(10)と前記キック始動装置(９)とが前記小型車両用内燃機関(４)の左右に振り分けられて配置されたことを特徴とする請求項１ないし請求項４のいずれか記載の小型車両用内燃機関のキック始動装置。
【請求項６】
前記始動モータ(10ａ)が、前記クランクケース(40)の前面に露出して設けられ、前記キック始動装置(９)は、前記クランクケース(40)の前方に突出して設けられて、側面視で前記始動モータ(10ａ)の一部に重なるように配置されたことを特徴とする請求項５記載の小型車両用内燃機関のキック始動装置。
【請求項７】
前記小型車両用内燃機関(４)を前記車体フレーム(２)に取り付けるためのハンガーボス(40ｂ)が、前記クランクケース(40)の、前記始動モータ(10ａ)および前記キック始動装置(９)より上方に設けられたことを特徴とする請求項５または請求項６記載の小型車両用内燃機関のキック始動装置。
【請求項８】
前記ハンガーボス(40ｂ)は、前記車体フレーム(２)から延出したガセット(29)に締結され、前記キック始動装置(９)と前記始動モータ(10ａ)が同ガセット(29)を避けて、その順に前下がりに配置されたことを特徴とする請求項７記載の小型車両用内燃機関のキック始動装置。
【請求項９】
前記小型車両用内燃機関(４)には、内部に貯留されたオイルの量を確認するレベルゲージ(59)が設けられ、同レベルゲージ(59)のキャップ部(59ａ)が、前記遠心フィルタ(６)および前記キック始動装置(９)より上側の前記クランクケース(40)に配置されたことを特徴とする請求項５ないし請求項８のいずれか記載の小型車両用内燃機関のキック始動装置。
【発明の詳細な説明】
【技術分野】
【０００１】
本発明は、内燃機関を小型化でき、構造の簡素な小型車両用内燃機関のキック始動装置に関する。
【背景技術】
【０００２】
従来の小型車両用内燃機関においては、例えば下記特許文献１に示されるように、キック始動装置を備える場合、キック軸をクランク軸から離れた空きスペースに配設して、複数のギヤを介して駆動するようにしている。
特許文献１に示されるものの場合は、キック軸のスタータドライブギヤから、カウンタ軸のアイドルギヤにキック始動回転力が伝達され、さらにメイン軸に備えられる多板クラッチに取り付けられたスタータドリブンギヤおよびプライマリドリブンギヤを介して、クランク軸のプライマリドライブギヤに伝達されて、クランク軸が回転駆動される。
そのように、複数の軸の設けられたギヤを介してキック始動回転力を伝達する伝達経路、配置構造をとると、ギヤを追加するなど部品点数が増加し、ギヤ構造が複雑化するばかりか、クランク軸とキック軸との距離が大きくなることから、内燃機関の大型化を招くおそれがあった。
また、伝達経路が長いためフリクションロスが大きい。キックバック（蹴り返し）時のトルクが大きくなりギヤ強度を増す必要がある。多板クラッチを介するため遠心クラッチを併用する内燃機関には搭載が困難になる、等の解決課題が生じた。
【先行技術文献】
【特許文献】
【０００３】
【特許文献１】特許４３６７９４８号公報（図１、図２）
【発明の概要】
【発明が解決しようとする課題】
【０００４】
本発明は、上記従来技術に鑑み、キック軸からクランク軸までの伝達経路を短くでき、内燃機関の小型化を可能とし、フリクションロスを低減でき、ギヤ強度を必要以上に増大させることを要さず、伝達ギヤ数を減じギヤの単純化が可能となり、遠心クラッチを併用する内燃機関においても適用可能な小型車両用内燃機関のキック始動装置を提供することを課題とする。
【課題を解決するための手段】
【０００５】
上記の課題を解決するために、請求項１に記載の発明は、クランクケースに回転自在に支持されたクランク軸と、同クランク軸の一端に設けられ、同クランク軸と一体的に回転する遠心フィルタと、前記クランク軸の近傍に設けられ、外部から入力された回転駆動力を出力部から前記クランク軸に伝達するキック始動装置とを備えた小型車両用内燃機関において、前記キック始動装置の出力部を構成するキック始動駆動ギヤが噛合するキック始動従動ギヤが、前記遠心フィルタに一体的に設けられたことを特徴とする小型車両用内燃機関のキック始動装置である。
【０００６】
請求項２に記載の発明は、請求項１に記載の小型車両用内燃機関のキック始動装置において、前記遠心フィルタが、椀状をなすフィルタケースを有し、同フィルタケースの外周壁に前記キック始動従動ギヤが一体成型されたことを特徴とする。
【０００７】
請求項３に記載の発明は、請求項２に記載の小型車両用内燃機関のキック始動装置において、前記フィルタケースの外周壁には、同フィルタケースの空洞部の開口を閉塞する蓋部材を取り付ける締結部材のボス部が含まれることを特徴とする。
【０００８】
請求項４に記載の発明は、請求項１ないし請求項３のいずれかに記載の小型車両用内燃機関のキック始動装置において、前記キック始動装置は、前記小型車両用内燃機関の車両搭載状態において、前記クランクケースにおける前記クランク軸の前方寄りに配置されたことを特徴とする。
【０００９】
請求項５に記載の発明は、請求項１ないし請求項４のいずれかに記載の小型車両用内燃機関のキック始動装置において、前記小型車両用内燃機関は始動モータによる電動始動装置を有し、同電動始動装置と前記キック始動装置とが前記小型車両用内燃機関の左右に振り分けられて配置されたことを特徴とする。
【００１０】
請求項６に記載の発明は、請求項５に記載の小型車両用内燃機関のキック始動装置において、前記始動モータが、前記クランクケースの前面に露出して設けられ、前記キック始動装置は、前記クランクケースの前方に突出して設けられて、側面視で前記始動モータの一部に重なるように配置されたことを特徴とする。
【００１１】
請求項７に記載の発明は、請求項５または請求項６に記載の小型車両用内燃機関のキック始動装置において、前記小型車両用内燃機関を前記車体フレームに取り付けるためのハンガーボスが、前記クランクケースの、前記始動モータおよび前記キック始動装置より上方に設けられたことを特徴とする。
【００１２】
請求項８に記載の発明は、請求項７に記載の小型車両用内燃機関のキック始動装置において、前記ハンガーボスは、前記車体フレームから延出したガセットに締結され、前記キック始動装置と前記始動モータが同ガセットを避けて、その順に前下がりに配置されたことを特徴とする。
【００１３】
請求項９に記載の発明は、請求項５ないし請求項８のいずれかに記載の小型車両用内燃機関のキック始動装置において、前記小型車両用内燃機関には、内部に貯留されたオイルの量を確認するレベルゲージが設けられ、同レベルゲージのキャップ部が、前記遠心フィルタおよび前記キック始動装置より上側の前記クランクケースに配置されたことを特徴とする。
【発明の効果】
【００１４】
請求項１の発明の小型車両用内燃機関のキック始動装置によれば、遠心フィルタがクランク軸と同芯一体に回転し、遠心フィルタに一体的に形成されたキック始動従動ギヤに、キック始動装置の出力部であるキック始動駆動ギヤから直接、キック始動回転力を入力するようにしたので、キック始動装置をクランク軸に可及的に近づけることができ、キック軸とクランク軸との軸間距離を小さくすることが可能となり、小型車両用内燃機関（以下、単に「内燃機関」という）の小型化を図ることができる。
また、キック軸からクランク軸までの伝達経路が短いので、フリクションロスを低減でき、ギヤ強度を必要以上に増大させることを要さず、伝達ギヤ数を減じギヤの単純化が可能となり、伝達経路に多板クラッチを含まないので、遠心クラッチを併用する内燃機関においても適用可能となる。
【００１５】
請求項２の発明によれば、請求項１の発明の効果に加え、キック始動従動ギヤを遠心フィルタに一体に形成したので、部品点数の低減が図られる。
【００１６】
請求項３の発明によれば、請求項２の発明の効果に加えて、遠心フィルタのフィルタケースの外周壁に締結部材のボス部が含まれるようにしたので、外周壁の肉厚がより厚い部分が形成され、キック始動従動ギヤを形成した場合の強度低下が抑制される。
【００１７】
請求項４の発明によれば、請求項１ないし請求項３のいずれかの発明の効果に加え、キック始動装置がクランク軸の前方に配置されることで、キックアームが内燃機関の前後長内に配置され、キックアームを含めた内燃機関の小型化が図られる。また、キック始動装置が、車両乗車中の運転者の足裁きの妨げとなることが防止される。
【００１８】
請求項５の発明によれば、請求項１ないし請求項４のいずれかの発明の効果に加え、電動始動装置とキック始動装置とが内燃機関の左右に振り分けて配置されたので、キック始動装置が効率よく配置され、内燃機関の小型化がさらに図られる。
【００１９】
請求項６の発明によれば、請求項５の発明の効果に加え、クランクケースの前方に突出する始動モータとキック始動装置とが側面視で一部が重なるように配置されたので、始動モータとキック始動装置とが相互に近接し、内燃機関の小型化がさらに図られる。
【００２０】
請求項７の発明によれば、請求項５または請求項６の発明の効果に加え、クランクケースのハンガーボスに対して、始動モータとキック始動装置が下寄りに配置されたので、内燃機関の重心位置が低く抑えられるとともに、内燃機関がクランクケースの上寄りで取り付けられることで、内燃機関が車体フレームに安定して強固に固定される。
【００２１】
請求項８の発明によれば、請求項７の発明の効果に加え、キック始動装置と始動モータがガセットを避けて、その順に前下がりに配置されたので、内燃機関の車両搭載状態で、ガセットに邪魔されずキック始動装置と始動モータのメンテナンスが可能となる。
【００２２】
請求項９の発明によれば、請求項５ないし請求項８のいずれかの発明の効果に加え、レベルゲージのキャップ部が、遠心フィルタおよびキック始動装置より上側のクランクケースに設けられたので、ゲージ抜き方向でのレベルゲージと遠心フィルタおよびキック始動装置との干渉が抑制され、メンテナンス性が向上する。
【図面の簡単な説明】
【００２３】
【図１】本発明の一実施形態に係る自動二輪車の右側面図である。
【図２】本実施形態に係る小型車両用内燃機関の右側面図である。
【図３】図２中、ＩＩＩ−ＩＩＩ矢視による本実施形態の小型車両用内燃機関の断面展開図である。
【図４】図２中、ＩＶ−ＩＶ、ＩＶ-ＩＶ′矢視による本実施形態の小型車両用内燃機関の断面展開図であり、本実施形態のキック始動装置の説明図である。
【発明を実施するための形態】
【００２４】
以下、本発明の一実施形態に係る小型車両用内燃機関のキック始動装置を、図１から図４に基づき説明する。
なお、本明細書の説明および特許請求の範囲における前後左右上下等の向きは、本実施形態に係る小型車両用内燃機関を、小型車両としての自動二輪車に取り付けた状態（車両搭載状態）での車両の向きに従うものとする。図中、矢印ＦＲは車両前方を、ＬＨは車両左方を、ＲＨは車両右方を、ＵＰは車両上方を、それぞれ示す。
【００２５】
図１に示されるように、小型車両としての本実施形態の自動二輪車１の車体フレーム２は、前輪３を下端部で軸支するフロントフォーク11をステアリングステム12を介して操向可能に支承するヘッドパイプ21と、ヘッドパイプ21からわずかに後下がりに延びる前半傾斜部22ａ、ならびに前半傾斜部22ａよりも急傾斜で前半傾斜部22ａの後端から後下がりに延びる後半傾斜部22ｂを有する左右一対のメインパイプ22と、メインパイプ22の前半傾斜部22ａよりも急角度に傾斜してヘッドパイプ21から後下がりに延びる左右一対のダウンパイプ23と、メインパイプ22における後半傾斜部22ｂの下部から後上がりに延びる左右一対のリヤパイプ24と、メインパイプ22における前半傾斜部22ａの後端とリヤパイプ24の中間部との間を連結する連結パイプ25とを備える。
【００２６】
図１中、13はステアリングステム12の上部に取り付けられた操舵用ハンドルであり、14はフロントフェンダ、15はリヤフェンダである。
また、16はメインスタンド、17は後述のキックアームであり、17ａはキックアーム17に倒伏自在に取り付けられたキックペダルである。
【００２７】
車体フレーム２には、空冷単気筒４ストロークサイクルの小型車両用内燃機関（以下、単に「内燃機関」という）４が、メインパイプ22の後半傾斜部22ｂの下部、ならびにダウンパイプ23の下部で支持されるようにして搭載される。
また、内燃機関４の上方で、車体フレーム２のメインパイプ22の前半傾斜部22ａには燃料タンク18が搭載され、燃料タンク18の後方には、車体フレーム２のリヤパイプ24で支持されるようにしてタンデム型の乗車用シート19が配置される。
【００２８】
図２を併せて参照すると、内燃機関４は、車両搭載状態で車幅方向に沿う軸線を有するクランク軸41を回転自在に支持するクランクケース40と、クランクケース40の前側上部に結合されて前傾して上方に立ち上がるシリンダブロック42と、シリンダブロック42の上端に結合されるシリンダヘッド43と、シリンダヘッド43の上端に結合されるシリンダヘッドカバー44とを備えている。
そして、シリンダブロック42の外面には上下に複数並ぶ冷却フィン42ａが設けられ、シリンダヘッド43の外面には上下に複数並ぶ冷却フィン43ａが設けられる。
【００２９】
また、内燃機関４の下部を構成するクランクケース40には、後方に延びるミッションケース50が連設されており、ミッションケース50には、クランク軸41からの回転動力を変速するための変速機５が収容され、クランク軸41と平行に配向された変速機５のメイン軸51、カウンタ軸52がミッションケース50に回転自在に支承される。
【００３０】
メイン軸51の右端側には、クランク軸41から伝達された回転動力を断接してメイン軸51に伝える多板クラッチ53が同軸芯に設けられ、メイン軸51とカウンタ軸52とに設けられた図示しない変速ギヤ群により変速がなされて、回転動力がカウンタ軸52に伝達される。
カウンタ軸52はその左端側に、後述の駆動スプロケット54を備えて、パワーユニット５の出力軸となる。なお、図１、図２において、メイン軸51、カウンタ軸（出力軸）52、多板クラッチ53は、中心位置のみ示す。
【００３１】
ミッションケース50には、上記の変速ギヤ群の組合せを変えて変速を行うための変速機５のチェンジスピンドル55とチェンジドラム56が、クランク軸41と平行に支承されている（図４参照）。
なお、クランク軸41の左端側にはＡＣジェネレータ57が同軸芯に設けられ、右端側には後述の潤滑オイルの遠心フィルタ６が、同軸芯に設けられている（図４参照）。
【００３２】
図１に示されるように、車体フレーム２のメインパイプ22の後半傾斜部22ｂの下部には、後端で後輪７を軸支するスイングアーム26の前端が支軸27を介して揺動可能に支承されており、車体フレーム２のリヤパイプ24と、スイングアーム26の後部との間にはリヤクッションユニット28が設けられている。
【００３３】
後輪７には、出力軸（カウンタ軸）52からの回転動力が伝達されるように、出力軸52のミッションケース50からの突出端部に固着された駆動スプロケット54と、後輪７の車軸７ａに設けられた被動スプロケット70とに、無端状の駆動チェーン71が巻き掛けられる。
【００３４】
図２に示されるように、シリンダヘッド43の後部側面には吸気ポート45が設けられており、吸気ポート45はシリンダヘッド43に一体に設けられた吸気フランジ43ｂに開口される。
吸気フランジ43ｂには吸気系30が接続されており、吸気系30は、図１に示されるように乗車用シート19の前部下方に配置されるエアクリーナ31と、エアクリーナ31に上流端が接続される吸気量調整手段としての気化器32と、気化器32の下流端と吸気フランジ43ｂの間を結ぶ吸気管33とを備えている。
【００３５】
シリンダヘッド43の前部側面には排気ポート46が設けられており、排気ポート46はシリンダヘッド43に一体に設けられた排気フランジ43ｃに開口される。
排気フランジ43ｃには排気系35が接続されており、排気系35は、図１に示されるように、シリンダヘッド43の前部側面から下方に延びる排気管36と、内燃機関４の下方に配置されて排気管36の下流端に接続される触媒コンバータ37と、触媒コンバータ37の下流端に接続されて後輪７の右側に配置される排気マフラー38とを備える。
【００３６】
図３は、図２中、ＩＩＩ−ＩＩＩ矢視による、本実施形態の内燃機関４の要部の断面展開図である。
本実施形態の内燃機関４は、潤滑オイル（以下、単に「オイル」という）に混入したごみ等の固形物を分離して浄化されたオイルを得るために、遠心フィルタ６を備えている。
【００３７】
図３に示されるように、クランクケース40は左右割方式で、左クランクケース40Ｌと右クランクケース40Ｒとからなっている。右クランクケース40Ｒの右側は右クランクケースカバー47Ｒによって覆われている。
クランク軸41は左クランク軸41Ｌと右クランク軸41Ｒからなり、クランクピン48を介して一体化されている。
クランク軸41は、クランクケース40に、左ボールベアリング49Ｌと右ボールベアリング49Ｒとによって回転可能に支持されている。
【００３８】
クランクケース40の上部には、シリンダブロック42とシリンダヘッド43が重ねられて、スタッドボルト40ａによって締結されて接続しており、クランクピン48にコンロッド58を介して接続された図示しないピストンがシリンダブロック42内のシリンダ孔内を摺動する。
クランクケース40の下部には、オイルパン60とストレーナ61が設けてある。
【００３９】
右クランク軸41Ｒには、右ボールベアリング49Ｒとの間にスリーブ62を挟んで、プライマリドライブギヤ63がキー64によって相対回動不能に設けてある。プライマリドライブギイヤ63は、変速機５のメイン軸51の右端部に設けてある多板クラッチ53の図示しないプライマリドリブンギヤと噛合する。
【００４０】
プライマリドライブギヤ63に隣接して、右クランク軸41Ｒの右端側に、遠心フィルタ６の椀状をなすフィルタケース65が、右クランク軸41Ｒにスプライン嵌合されて設けてある。
フィルタケース65は、その外周壁65ｂに囲まれて軸方向右方に開く空洞部65ａを備えている。空洞部65ａ内に位置する部分の右クランク軸41Ｒに、ワッシャ66を介してナット67が設けられ、その締め付けによって、フィルタケース65、プライマリドライブギヤ63、スリーブ62、および右ボールベアリング49Ｒの内輪が、右クランク軸41Ｒに対して固定されている。
【００４１】
フィルタケース65の外周壁65ｂには、空洞部65ａの開口を閉塞する蓋部材69を取り付けるボルト（本発明の「締結部材」）68のためのボス部65ｃが形成されており、ボルト68によって締結された板状の蓋部材69によって空洞部65ａの開口は閉塞されている。
なお、フィルタケース65の外周壁65ｂには、後述のキック始動従動ギヤ99が一体成型されるが、外周壁65ｂにボス部65ｃが含まれるようにしたので、外周壁65ｂの肉厚がより厚い部分が形成され、外周壁65ｂの強度低下が抑制される。
【００４２】
蓋部材69の中心には、クランク軸41が貫通する軸孔69ａが設けられている。軸孔69ａとクランク軸41との間には微小のクリアランスが設けられ、遠心フィルタの組立を容易にしつつ、クリアランスからのオイル漏れを防いでいる。なお、軸孔69ａとクランク軸41との間にオイルシールやＯ-リング等を配置し、さらにオイル漏れを防ぐこともできる。
また、フィルタケース65の端面に、環状溝を設け、蓋部材69との間にＯ-リングを介装して、さらにオイル漏れを防ぐこともできる。
【００４３】
右クランク軸41Ｒの軸端は、右クランクケースカバー47Ｒの内側凹部47Ｒａに回転可能に挿入されており、フィルタケース65と蓋部材69が右クランク軸41Ｒとともに回転することにより、フィルタケース65と蓋部材69と右クランク軸41Ｒとに囲まれた部分が遠心分離室６ａとなる。
【００４４】
右クランク軸41Ｒの下方にオイルポンプ75が設けられている。オイルポンプ75のオイルポンプ軸76には、オイルポンプ従動ギヤ77が設けられ、プライマリドライブギヤ63に噛み合っている。
オイルポンプ75のポンプケース78は、右クランク軸41Ｒを囲む環状部材79に設けられており、環状部材79は、環状板部材80を介して右クランクケース40Ｒに取付けられている。
【００４５】
オイルポンプ75の吸入口81は、オイルポンプ75の下部に設けられており、吸入通路82とストレーナ61を経由してオイルパン60に連通している。
オイルポンプ75の吐出口83は、オイルポンプ75の上部に設けられており、図示しない吐出油路を介して、右クランクケースカバー内油路84に接続されている。右クランクケースカバー内油路84は、右クランクケースカバー47Ｒの内側凹部47Ｒａに連通している。
【００４６】
右クランク軸41Ｒには、クランク軸中心線Ｘ上に軸端孔86と中心孔87が、互いを連続させずに穿設されている。
軸端孔86は右端が右クランクケースカバー47Ｒの内側凹部47Ｒａ内に開口し、軸端孔86からフィルタケース65の遠心分離室６ａに連通するオイル供給孔86ａが設けられている。
【００４７】
また、中心孔87には、フィルタケース65の遠心分離室６ａから中心孔87に連通するオイル流出孔87ａが設けられている。
中心孔87の内燃機関中心側の端は、クランクピン内油路88に連通している。本実施形態の遠心フィルタ６は、フィルタケース65、蓋部材69、およびクランク軸41に設けられたオイル供給孔86ａとオイル流出孔87ａとを備えて構成されている。
【００４８】
以上のような遠心フィルタ６においては、クランク軸41の回転によって、オイルポンプ75が回転駆動され、オイルパン60に溜められたオイルがストレーナ61および吸入通路82を経て、オイルポンプ75に吸入され、オイルポンプ75を経て吐出される。
吐出口83から吐出されたオイルは、図示しない吐出油路、右クランクケースカバー内油路84、および右クランクケースカバー47Ｒの内側凹部47Ｒａを経て、クランク軸41の軸端孔86に流入し、オイル供給孔86ａを経て遠心フィルタ６の遠心分離室６ａ内に噴出する。
【００４９】
クランク軸41の一端に設けられ、クランク軸41と一体的に回転する遠心フィルタ６の遠心分離室６ａは、クランク軸41と共に回転しているので、オイルに混入していたごみ等の固形物は遠心分離室６ａの内周壁６ｂに押付けられ、清浄なオイルがクランク軸41のオイル流出孔87ａから、クランク軸41の中心孔87に流入し、クランクピン内油路88へ送られ、さらにコンロッド58の大端部58ａや左右のボールベアリング49Ｌ、49Ｒへ送られて、それらを潤滑する。
【００５０】
図４は、図２中、ＩＶ−ＩＶ、ＩＶ−ＩＶ′矢視による、本実施形態の内燃機関４の要部の断面展開図である。
図４に示されるように、左クランク軸41Ｌの左端部にはＡＣジェネレータ57が設けられるとともに、ＡＣジェネレータ57は、左クランクケース40Ｌに取り付けられた左クランクケースカバー47Ｌで覆われている。
【００５１】
ＡＣジェネレータ57のインナステータ57ａは、左クランクケースカバー47Ｌの内面に固定されており、ＡＣジェネレータ57のアウタロータ57ｂは、左クランク軸41Ｌに固定されている。
左クランク軸41Ｌには、左ボールベアリング49Ｌの左方において、モータ始動従動ギヤ100が回転可能に設けられており、モータ始動従動ギヤ100はワンウエイクラッチ101を介してＡＣジェネレータ57のアウタロータ57ｂに接続されている。
【００５２】
左クランクケース40Ｌはクランク軸41より前方に延設され、始動モータ10ａが、クランクケース40の前面に突出して、その回転軸10ｂをクランク軸41と平行にして取り付けられている。
左クランクケース40Ｌと左クランクケースカバー47Ｌとの間には、大径ギヤ102ａと小径ギヤ102ｂを備えた中間軸102が回転可能に、クランク軸41と平行に軸支されており、大径ギヤ102ａは始動モータ10ａの回転軸10ｂのピニオンギヤ10ｃと噛合し、小径ギヤ102ｂはモータ始動従動ギヤ100と噛合している。
【００５３】
従って、本実施形態の内燃機関４は、始動モータ10ａの駆動力が、ピニオンギヤ10ｃ、中間軸102の大径ギヤ102ａ、小径ギヤ102ｂ、モータ始動従動ギヤ100、ワンウエイクラッチ101、ＡＣジェネレータ57のアウタロータ57ｂを介して、クランク軸41に伝達される電動始動装置10を備えている。
【００５４】
一方、右クランクケース40Ｒと右クランクケースカバー47Ｒは、クランク軸41より前方に延設されてキックスタータ室90が形成され、クランクケース40の前方に突出してキック始動装置９が設けられている。キック始動装置９は、側面視で始動モータ10ａよりやや上方に、始動モータ10ａの一部に重なるように配置される。
キックスタータ室90を形成する右クランクケース40Ｒと右クランクケースカバー47Ｒとの間には、キック軸91が回転可能に、クランク軸41と平行に軸支されている。
【００５５】
右クランクケースカバー47Ｒにおけるキック軸91の軸受部92は、肉厚の円筒状をなして右方に膨出しており、キック軸91の右端部91ａは右クランクケースカバー47Ｒを貫通して右方に突出している。
右端部91ａには、図１に示されるキックアーム17の基端部が嵌着される。キックアーム17の先端部にはキックペダル17ａ（図２参照）が倒伏自在に取り付けられる。
【００５６】
キック軸91の左端は、右クランクケース40Ｒの右面の軸受部93に軸支され、軸受部93に隣り合って、キックスタータ室90内に収容されたリターンスプリング94がキック軸91に巻回されている。
リターンスプリング94の一端94ａはキック軸91に係止され、他端94ｂは右クランクケースカバー47Ｒの内面に係止されている。それによって、リターンスプリング94により、キック軸91は、キックアーム17とともに操作開始位置へ回動復帰するように付勢されている。
【００５７】
また、キック軸91には、キックスタータ室90内において軸受部92に隣り合って、ストッパ部材95がスプライン嵌合されており、ストッパ部材95の突起95ａが右クランクケースカバー47Ｒの内面に設けられた図示しない突起に当接して、リターンスプリング94により付勢されたキックアーム17を所定の操作開始位置に保持する。
【００５８】
キック軸91には、リターンスプリング94とストッパ部材95との間に位置して、左方に従動ヘリカルギヤ96、右方にキック始動駆動ギヤ97が設けてある。
キック始動駆動ギヤ97は、キック軸91に回転自在に装着されるとともに、キック軸91に設けられた係止部91ｃによって右方向への移動が阻止されている。また、左方へは、リング等によって移動が規制されている。
【００５９】
キック始動駆動ギヤ97より左側のキック軸91の外周面には、ヘリカル外歯91ｂが刻設され、従動ヘリカルギヤ96の内周面には、ヘリカル内歯96ｂが刻設されており、キック軸91外周面のヘリカル外歯91ｂに噛合させてある。
【００６０】
従動ヘリカルギヤ96の外周面に周方向に亘って形成された溝に、一部欠損した円環部を備えたフリクションスプリング98が嵌合して、従動ヘリカルギヤ96を締め付けて、従動ヘリカルギヤ96の回転にフリクションを与えている。
フリクションスプリング98の一部欠損円環部から外方に延出した柄部98ａの先端は、右クランクケースカバー47Ｒ内面に形成された図示しない左右方向の溝に摺動自在に嵌合している。
【００６１】
従動ヘリカルギヤ96の右側面には、周縁に沿ってラチェット歯96ａが突出形成されている。
キック始動駆動ギヤ97の左側面には、従動ヘリカルギヤ96のラチェット歯96ａに噛合可能なラチェット歯97ａが突出形成されてラチェット機構が構成されている。
【００６２】
一方、右クランク軸41Ｒの右端部には、遠心フィルタ６のフィルタケース65がスプライン嵌合されて設けられており、前述のようにその外周部65ｂにおいてキック始動駆動ギヤ97と対峙する位置に、キック始動従動ギヤ99が刻設されて一体成型されており、キック始動駆動ギヤ97と噛合している。
【００６３】
キック始動装置９は、以上のように構成されており、キックペダル17ａが踏み込まれ、キックアーム17によってキック軸91がリターンスプリング94に抗して回転すると、キック軸91と一体回転するヘリカル外歯91ｂにヘリカル内歯96ｂで噛合する従動ヘリカルギヤ96は、フリクションスプリング98による回転方向の摩擦抵抗によって回転が阻止されているので、従動ヘリカルギヤ96は右方向に移動し、そのラチェット歯96ａが、キック始動駆動ギヤ97のラチェット歯97ａに噛み合い、従動ヘリカルギヤ96とキック始動駆動ギヤ97とはキック軸91と共に回転する。
さらに、キック始動駆動ギヤ97とキック始動従動ギヤ99の噛合により、クランク軸91が強制的に回転させられ、内燃機関４が始動する。
【００６４】
キックペダル17ａの踏み込みを止めキックペダル17ａを解放すると、リターンスプリング94によりキック軸91は逆回転してキックアーム17とともに、元の操作開始位置に戻るので、従動ヘリカルギヤ96は、そのヘリカル内歯96ｂとキック軸91のヘリカル歯91ｂの噛合により左方向に移動して、ラチェット歯97ａ、96ａの係合は解除され、キック軸91はクランク軸41の回転から解放される。
【００６５】
以上のように、本実施形態のキック始動装置９は、クランクケース40におけるクランク軸41の前方寄りに配置されており、キックアーム17が内燃機関４の前後長内に配置され、また、キック始動装置９と電動始動装置10とが内燃機関４の左右に振り分けられて配置されており、内燃機関４が省スペースに構成されている、
【００６６】
内燃機関４は、また、始動モータ10ａとそのやや上方のキック始動装置９より上方で、クランクケース40に設けられたハンガーボス40ｂにより、車体フレーム２のダウンパイプ23から延出して設けられたガセット29を介して車体フレーム２に取り付けられており、ガセット23取り付け部より重心位置を低くして、安定して強固に固定されている。
また、始動モータ10ａおよびキック始動装置９のメンテナンスが、ガセット29に邪魔されずに行える。
【００６７】
図２に示されるように、内部に貯留されたオイルの量を確認するオイルのレベルゲージ59は、遠心フィルタ９やキック始動装置６より上側でクランクケース40に差し込まれ、キャップ部59ａがクランクケース40の上部に配置されるので、ゲージ抜き方向Ａにおいて、遠心フィルタ９やキック始動装置６との干渉が無く、メンテナンスが容易である。
【００６８】
以下に、上述の本実施形態の小型車両用内燃機関のキック始動装置の特徴を纏めて説明する。
すなわち、内燃機関（小型車両用内燃機関）４には、クランクケース40に回転自在に支持されたクランク軸41と、クランク軸41の一端に設けられ、クランク軸41と一体的に回転する遠心フィルタ６と、クランク軸41の近傍に設けられ、外部から入力された回転駆動力をキック始動駆動ギヤ97からクランク軸41に伝達するキック始動装置９が備えられており、キック始動駆動ギヤ97が噛合するキック始動従動ギヤ99が、遠心フィルタ６に一体的に設けられている。
【００６９】
したがって、遠心フィルタ６がクランク軸41と同芯一体に回転し、遠心フィルタ６に一体的に形成されたキック始動従動ギヤ99に、キック始動装置９の出力部であるキック始動駆動ギヤ97から直接、キック始動回転力を入力するようにしたので、キック始動装置９をクランク軸41に可及的に近づけることができ、キック軸91とクランク軸41との軸間距離を小さくすることが可能となり、内燃機関４の小型化を図ることができる。
また、キック軸91からクランク軸91までの伝達経路が短いので、フリクションロスを低減でき、ギヤ強度を必要以上に増大させることを要さず、伝達ギヤ数を減じギヤの単純化が可能となり、伝達経路に多板クラッチ53を含まないので、遠心クラッチを併用する内燃機関においても適用可能となる。
【００７０】
また、遠心フィルタ６が、椀状をなすフィルタケース65を有し、フィルタケース65の外周壁65ｂにキック始動従動ギヤ99が一体成型されたので、部品点数の低減が図られる。
【００７１】
また、フィルタケース65の外周壁65ｂには、フィルタケース65の空洞部65ａの開口を閉塞する蓋部材69を取り付けるボルト68のボス部65ｃが含まれるので、外周壁65ｂの肉厚がより厚い部分が形成され、キック始動従動ギヤ99を形成した場合の強度低下が抑制される。
【００７２】
また、キック始動装置９は、内燃機関４の車両搭載状態において、クランクケース40におけるクランク軸41の前方寄りに配置されたので、キックアーム17が内燃機関４の前後長内に配置され、キックアーム17を含めた内燃機関４の小型化が図られる。また、キック始動装置９が、車両乗車中の運転者の足裁きの妨げとなることが防止される。
【００７３】
また、内燃機関４は始動モータ10ａによる電動始動装置10を有し、電動始動装置10とキック始動装置９とが内燃機関４の左右に振り分けられて配置されたので、キック始動装置９が効率よく配置され、内燃機関４の小型化がさらに図られる。
【００７４】
また、始動モータ10ａが、クランクケース40の前面に露出して設けられ、キック始動装置９は、クランクケース40の前方に突出して設けられて、側面視で始動モータ10ａの一部に重なるように配置されたので、始動モータ10ａとキック始動装置９とが相互に近接し、内燃機関４の小型化がさらに図られる。
【００７５】
また、内燃機関４を車体フレーム２に取り付けるためのハンガーボス40ｂが、クランクケース40の、始動モータ10ａおよびキック始動装置９より上方に設けられたので、内燃機関４が重心位置を低くしてクランクケース40の上寄りで取り付けられるため、内燃機関４が車体フレーム２に安定して強固に固定される。
【００７６】
また、ハンガーボス40ｂは、車体フレーム２から延出したガセット29に締結され、キック始動装置９と始動モータ10aがガセット29を避けて、その順に前下がりに配置されたので、内燃機関４の車両搭載状態で、ガセット29に邪魔されずキック始動装置９と始動モータ10ａのメンテナンスが可能となる。
【００７７】
そして、内燃機関４には、内部に貯留されたオイルの量を確認するレベルゲージ59が設けられ、レベルゲージ59のキャップ部59ａが、遠心フィルタ６およびキック始動装置９より上側のクランクケース40に配置されたので、ゲージ抜き方向Ａでのレベルゲージ59と遠心フィルタ6およびキック始動装置９との干渉が抑制され、メンテナンス性が向上している。
【００７８】
以上、本発明の一実施形態の小型車両用内燃機関のキック始動装置につき述べたが、本発明は各請求項の要旨の範囲内で、上記実施形態と異なる態様を含むことは勿論である。
例えば、小型車両用内燃機関は、上記実施形態の空冷単気筒の４ストロークサイクル内燃機関に限定されず、請求項１の構成を備える多様な内燃機関でよく、小型車両は自動二輪車に限定されない。
【符号の説明】
【００７９】
１…自動二輪車（小型車両）、２…車体フレーム、４…内燃機関（本発明の「小型車両用内燃機関」）、５…変速機、６…遠心フィルタ、６ａ…遠心分離室、６ｂ…内周壁、９…キック始動装置、10…電動始動装置、10ａ…始動モータ、17…キックアーム、17ａ…キックペダル、22…メインパイプ、23…ダウンパイプ、29…ガセット、40…クランクケース、40ｂ…ハンガーボス、40Ｌ…左クランクケース、40Ｒ…右クランクケース、41…クランク軸、41Ｌ…左クランク軸、41Ｒ…右クランク軸、47Ｌ…左クランクケースカバー、47Ｒ…右クランクケースカバー、50…ミッションケース、51…メイン軸、52…カウンタ軸（出力軸）、59…レベルゲージ、59ａ…キャップ部、63…プライマリドライブギヤ、65…フィルタケース、65ａ…空洞部、65ｂ…外周壁、65ｃ…ボス部、68…ボルト（本発明の「締結部材」）、69…蓋部材、75…オイルポンプ、90…キックスタータ室、91…キック軸、96…従動ヘリカルギヤ、97…キック始動駆動ギヤ、99…キック始動従動ギヤ
【図１】
0005650608.tif 000002
【図２】
0005650608.tif 000003
【図３】
0005650608.tif 000004
【図４】
0005650608.tif 000005